(57)【特許請求の範囲】
【請求項１】
外周を有する粉砕台であって、縦軸周りに回転可能である粉砕台と、前記粉砕台に位置付けられた材料を粉砕するための少なくとも２つの粉砕ローラであって、実質的に水平な軸周りに回転可能であり、前記粉砕台の環状粉砕通路に押し当てられる粉砕ローラと、ガスおよび同伴する粉砕された材料のための入口を有する材料セパレータに向かって分離および搬送ガスを導入するための、前記台を囲むノズルリング分離エリアであって、前記セパレータが、前記粉砕台の上に位置付けられている、ノズルリング分離エリアと、前記粉砕台に隣接して位置付けられた、ガスおよび粉砕された材料のための少なくとも２つのダクトであって、各ダクトは、ガスが通ってダクトに入る、前記ノズルリング分離エリアに流れ連結している下側ガス入口端部、およびガスが通って前記セパレータに入る、前記セパレータへの入口に隣接している上側端部を有し、前記各ダクトは、前記台に面している材料入口点であって、前記台が回転している間に粉砕された材料がその中に誘導されて、その後前記ダクト内で、前記ノズルリング分離エリアからのガスに同伴される、材料入口点をさらに有するダクトと、を備える、縦型ローラミル。
【請求項２】
前記ダクトを出る材料およびガスだけが前記セパレータに入ることができるように、前記セパレータが封止されている、請求項１に記載のミル。
【請求項３】
前記ミルが、材料およびガスをセパレータに搬送する３つ以上のダクトを含む、請求項１に記載のミル。
【請求項４】
前記ダクトが、前記ダクト内での適切な流れ特性を可能にする断面を有する、請求項１に記載のミル。
【請求項５】
前記セパレータが、前記ダクト以外の供給源からのいかなるガスおよび材料流れも受けないように封止されている、請求項１に記載のミル。
【発明の詳細な説明】
【技術分野】
【０００１】
本発明は、概して、縦軸周りに回転可能である粉砕台と、実質的に水平な軸周りに回転可能であり、粉砕台の環状粉砕通路に当たるように誘導される少なくとも２つの粉砕ローラと、粉砕台の上のミルハウジング内に分離、搬送、および場合によって乾燥するためのガスを導入するための、台を囲むノズルリング分離エリアと、搬送ガスに同伴された材料を、粉砕台に戻されて再び粉砕される粗い破片と、搬送されてさらに処理または保管される仕上がった粉砕された材料である微細な破片とに分離するための、ミルの上側エリアに位置付けられたセパレータとを備えるタイプの縦型ローラミルに関する。
【背景技術】
【０００２】
そのようなミルでは、粉砕台で粉砕される材料は、粉砕台が回転することから、遠心力の下でノズルリング分離エリア上を外向きに移動し、そこで材料はノズルリング分離を受ける。材料は、ノズルリング分離エリアからのガス流によって、粉砕台の上のエリアに向かって上向きかつ内向きに空気作用により搬送され、または、ノズルリング分離エリアを通って落下し、材料がミルに再導入される工程か、工程から除去されるかのいずれかに至る。このガス流は、ミル内の材料の冷却、加熱、または乾燥、および前記材料のセパレータへの移送のために用いられる。ノズルリング分離エリアを通るガスの分配および速度は、材料の特質に合うように最適に調節することができる。粉砕された材料のより微細な破片は、搬送ガス中を浮遊し、ミルハウジング内で上向きに運ばれてセパレータに入り、その一方で、重すぎて搬送ガス中で浮遊し続けることができないより粗い粒子破片は、ミル台、粉砕トラック、外側ミルハウジング、およびノズルリング分離エリアの様々なエリアに無差別に落下し、そこで材料は、ノズルリング分離の工程を繰り返す。材料は、セパレータに到達する前に、そのような上昇および落下サイクルの繰り返しを受けることになり得、こうして、かなりの量の材料が、粉砕通路上に着地して再び粉砕されることなく、粉砕台の上でランダムに搬送され得、これにより、ミルの効率が低減し、特にエネルギー消費が増大し、不必要なエネルギー消費が発生する。本発明の目的は、これらのミルの非効率性を克服することである。
【発明の概要】
【課題を解決するための手段】
【０００３】
本発明によれば、記述される種類の縦型ローラミルでは、ノズルリング分離エリアを通過するガスは、複数のガスダクトに誘導され、その後セパレータに誘導される。台の高さの近くの各ダクトの側部に、台の中央に面している開口部があり、その開口部内に材料が誘導される。開口部に入る材料は空気作用により分離され、そこで適切な物理特性を有する材料は、ノズルリング分離エリアを通過するガス流に同伴される。ノズルリング分離エリアを通って上がってくるガスに同伴されないあらゆる材料は、ガス流を通って下向きに落ち、機械的に台に戻ってさらに粉砕されるか、または工程から除去されるかのいずれかになる。事実上、ガスダクトは、所定の粗さの材料の破片を、より微細な粉砕された材料から分離するための材料分割器として機能する。
【０００４】
例えば図１に示されるように、円形ベース、および台周りに分配されたローラを有するミルについては、少なくともローラと同じ数のダクトがミルにあることが好ましい。しかし他の構成を有するミルについては、ダクトはローラの数より少なくてもよい。ほとんどの場合、本発明を用いることができるミルは、少なくとも２つのローラ、および少なくとも２つのダクトを有する。
【０００５】
ダクトは、ミルハウジングの内側でもしくは外側で、またはミルハウジングと一体で、台の外周に位置付けられ、台の下から、台から、または台の上から始まっているガスおよび材料の入口位置を有する。したがって、材料は台から出て、ガスダクトに誘導され、次いで上記で参照された分割機能を受けることになる。適切な物理特性の材料は、ダクトを上向きに通過するガスに同伴されてセパレータに至り、こうして粉砕サイクルの繰り返しがなくなる。したがって、ミルハウジング内でガス流れを搬送するための電力消費量を低減することが達成される。
【０００６】
ここで、本発明によるミルの例を用いて、添付図面を参照しながら、本発明がより詳細に記述される。
【図面の簡単な説明】
【０００７】
【図１】先行技術の縦型ローラミルの一部分が切り取られた縦区分の正面図である。
【図２】本発明において利用されるダクトを示す図である。
【図３】本発明のミルの内部の図である。
【図４】図３に描かれた粉砕ローラの近くの近接部分の詳細図である。
【図５】本発明の縦型ミルにおいて利用されるダクトを示す様々な図である。
【発明を実施するための形態】
【０００８】
先行技術の縦型ローラミル１０は、ガス、材料、および粉砕／セパレータ部品を封入する役割を果たす縦型ミル本体１１内に完全に取り囲まれている。ミル１０は、従来型のモータ（図示せず）によって駆動されるギアボックス１３によって支持および回転される縦軸周りに回転する粉砕台１２を有する。他の台の支持および駆動構成も存在しており、本発明で使用されてもよい。粉砕台１２上を押圧し転がっているのは、粉砕ローラ１４、この例では４つの粉砕ローラであり、粉砕台上の材料層を粉砕するためのものである。任意の数のローラを利用することができる。縦型ローラミル１０は、油圧手段（図示せず）によって粉砕台１２に押し当てられる粉砕ローラを有する。他の縦型ローラミル構成は、ローラを台に押し当てるための異なる負荷機構を有してもよい。ノズルリング分離エリア１５は粉砕台を囲んでおり、下にある１つまたは複数のガス入口ダクト２１からのガスを利用し、ガス入口ダクト２１は、粉砕台の下に位置付けられたチャンバ内にガスを誘導し、その後ノズルリング分離エリアに通す。
【０００９】
粉砕台１２上には、動的であっても静的であってもよいセパレータ１６がある。開放空間１７を通って上向きに移動する粉砕された材料は、セパレータの外周１８の下側の点において、セパレータ周りに周方向に延在する入口点でセパレータに入ることになり、セパレータへの入口は、ミル内部からのガスに対して完全に開かれている状態である。セパレータ１９の底部には、セパレータからの粗い材料を粉砕台に戻すように誘導するためのリジェクトコーン１９がある。同伴された微細材料、すなわちミル内で充分に粉砕された材料を有するガスは、ミルから、セパレータ１６の上部にある出口ダクト１２を通るように空気作用により搬送される。
【００１０】
図２は、本発明のミル１１０のガス分配システムの特定の態様を示す。図をわかりやすくするために、ローラおよびリジェクトコーンなどのミルの特定の内部要素は、この特定の図から省略されている。それに加えて、外側ミル本体がこの図から省略されている。
【００１１】
ガス入口ダクト１２１は、台１１２から出てくる材料とガスを相互作用させるように構成されたノズルリング分離エリア１１５にガスを誘導する。ガスダクトまたはチャネル１３０は、台１１２の外周に位置付けられる。ガスダクト１３０は、ノズルリング分離エリア１１５と流れ連結しており、これは、ノズルリング分離エリア１１５に流入したガスが、その後ダクト１３０に誘導されることを意味する。したがって、ダクト１３０へのガスの入口は、ノズルリング分離エリア１１５の下に、その場所に、またはその上に位置付けられ得る。ノズルリング分離エリアは、様々な角度で配向されたブレードの様々な構成から成ってもよく、ブレードがなくてもよい。ダクトは、個々にダクト１３０ａ、１３０ｂ、および１３０ｃとして参照される。各場所に複数のダクトがあってもよい。斜視図であることから、第４のダクト（図示せず）は、台１１２の反対側の、ダクト１３０ｂの後ろに位置付けられている。ダクト１３０は、ガスおよび同伴された任意の物質を、セパレータハウジング１４０に覆われたセパレータに搬送する役割を果たす。ハウジング１４０、および適切な封止があることによって、セパレータは、ダクト１３０に含まれないあらゆるガスおよび材料流れから封止される。すなわち、ミル内部の開放エリア１１７に位置する任意の材料は、ダクト１３０を通らずにはセパレータに入ることができない。機能的には、本発明の縦型ローラミルにおいて利用されるセパレータは、先行技術のミルにおいて使用されるものと変わらず、したがって動的であっても静的であってもよく、台に戻るように粗い材料を誘導するリジェクトコーンを有している。主な違いは、セパレータが、ミル内部からの流れに対する封止を有しており、それにより、ガスおよび材料をチャネルからのみ受けるように適合されていることである。リジェクトコーンには、セパレータへの逆流を低減させるための排出部の空気堰が取り付けられてもよい。
【００１２】
図３を参照すると、本発明の縦型ローラミル内部の一部分が描かれており、粉砕ローラ２１４が１つだけ描かれている。ダクト２３０ａおよび２３０ｂは、粉砕ローラ２１４の両側に位置付けられており、ノズルリング分離エリア２１５の下に、その場所に、またはその上に、下側ガス入口を有する。台２１２に面する、台２１２からの材料を受けることになる各ダクトの内側の底部には、スロット２４０が描かれている。スロットに対する材料流れ特性を最適化するための調節可能な入口ゲートが、スロット２４０に取り付けられている。搬送ガスは、ノズルリング分離エリア２１５に入るよう誘導され、スロット２４０に入る材料を同伴する。材料を同伴するガスは、ダクト２３０を通って上向きに移動してセパレータ入口２４１に至り、セパレータ入口２４１は、ダクトを通るガス以外のあらゆるミル本体のガスから、およびリジェクトコーン２１９から来る可能性のある逆流から封止されており、その逆流は、リジェクトコーンの空気堰（図示せず）を使用することによって防止されてもよい。セパレータ内部につながる案内翼装置２４２は、不適切な物理特性を有する材料の前分離およびはね除けを可能にするように構成され得、前記はね除けられた材料はリジェクトコーン２１９に誘導される。
【００１３】
任意選択で、ダクト２３０は、ミル本体２１１の内側もしくは外側にあるように、またはミル本体２１１と一体であるように構成されてもよい。
図５を参照すると、台３１２に隣接して位置付けられた下側端部からセパレータ３１８の入口３４１にガスおよび材料を排出する上側端部まで縦方向に延在するダクト３３０が描かれている。ダクト３３０の上側端部以外のいかなる場所からもセパレータ３１８にガスが入らないようにする封止部３４５が、セパレータ入口３４１にある。
【００１４】
ダクトは、適切な流れ特性を可能にする任意の断面のものであってもよい。矩形のダクトが描かれているが、ダクトは円形、長円形などであってもよい。
【要約】
縦型ローラミルは、回転可能な粉砕台の粉砕通路上を転がる粉砕ローラと、ガスを搬送し分離するための、周りを囲むノズルリング分離エリアとを有する。粉砕された材料の粗い破片は、ノズルリング分離エリアの下に、その場所に、またはその上にある位置から、ガスに同伴されてダクト内を上り、粉砕台の上に位置付けられた材料セパレータへの入口に入るように移送される。
【選択図】図１【図１】
0006355865.tif 000002
【図２】
0006355865.tif 000003
【図３】
0006355865.tif 000004
【図４】
0006355865.tif 000005
【図５】
0006355865.tif 000006